(57)【要約】【課題】音孔から放音筒部内に水が浸入してもスピーカの振動板に水が付着しにくくすることにより、スピーカの振動板の発音不良を防止すると共にスピーカの劣化を防ぐ電子機器を提供する。【解決手段】ケース４には、当該ケース４を貫通する放音スリット４３Ｂと、放音スリット４３Ｂを囲むようにケース４内部に向かって立設する放音筒部４３Ｃと、が設けられている。放音筒部４３Ｃの開口は、ケース４内に収容されるスピーカ３により塞がれている。また、放音筒部４３Ｃには、その内周面に鉛直下側に向かって凹の水溜り部４５が設けられている。【選択図】図２
2011186594.tif 000002
【特許請求の範囲】
【請求項１】
スピーカと、前記スピーカを収容する筐体と、を備え、前記筐体には、当該筐体を貫通する放音孔と、前記放音孔を囲むように前記筐体内部に向かって立設すると共にその開口が前記スピーカで塞がれた放音筒部と、が設けられている電子機器であって、
前記放音筒部には、その内周面に鉛直下側に向かって凹の水溜り部が設けられている
ことを特徴とする電子機器。
【請求項２】
前記放音孔は、その中心が前記スピーカの中心から前記水溜り部側にズレた位置に設けられている
ことを特徴とする請求項１に記載の電子機器。
【請求項３】
前記筐体には、一端が前記水溜り部に連通し他端が鉛直下側に開口する前記筐体外面に凹に設けられた水抜き溝が設けられている
ことを特徴とする請求項１又は２に記載の電子機器。
【請求項４】
前記放音孔、前記放音筒部、及び、前記水溜り部が、前記筐体の外部に向かって凸となる凸部に設けられ、
前記水抜き溝の他端が、前記凸部の鉛直下側の端部に設けられ、
前記凸部の外面に前記水抜き溝を隠すように取り付けられた表示板が設けられた
ことを特徴とする請求項３に記載の電子機器。
【発明の詳細な説明】
【技術分野】
【０００１】
本発明は、電子機器に係り、スピーカと、前記スピーカを収容する筐体と、を備え、前記筐体には、当該筐体を貫通する放音孔と、前記放音孔を囲むように前記筐体内部に向かって立設すると共にその開口が前記スピーカで塞がれた放音筒部と、が設けられている電子機器に関するものである。
【背景技術】
【０００２】
上述した電子機器として、例えば浴室内に配置されるガス漏れ警報器が考えられる。一般的に、ガス漏れ警報器は、ガス漏れを検出するガスセンサと、ガス漏れを報知するためのスピーカと、これらガスセンサ及びスピーカなどを内蔵する筐体としてのケースと、を備えている。上記ケースには、そのスピーカに対向する面に放音孔としての放音スリットが設けられていて、これによりスピーカから出力される警報音がケース外に響きやすくなっている。
【０００３】
上述したガス漏れ警報器を浴室内で使用する場合、ケースに設けた放音スリットからケース内部への水滴の侵入を防ぐために、ケースの放音スリット正面に不織布を貼って防水対策を施していた。なお、一般的にシート状のものとして代表的な布は、繊維を撚って糸にしたものを織っているのに対して、上記不織布は繊維を熱・機械的にまたは化学的な作用によって接着又は絡み合わせることで布にしたものを示し防水性に優れている。
【０００４】
しかしながら、放音スリットの正面に不織布を貼る構成では、スピーカから出力される警報音が不織布によりその音圧が減衰し、規定値(１ｍ離れた位置において７０ｄＢ以上)を満たすことが困難であった。
【０００５】
そこで、本出願人は、不織布の使用を止めて、スピーカを防滴用に変更し、ケースに放音スリットを囲むようにケース内部に向かって立設する放音筒部を設けて、その放音筒部の開口をスピーカの振動板で塞いでケース内部に水が浸入しないようにすることを考えた。以上の構成によれば、ケース内部に水が浸入することはなくなったが、多くの水がかかると、放音スリットから放音筒部内に水が侵入して溜まってしまい、スピーカの振動板が水没して発音し難くなる、という問題が発生した。
【０００６】
また、放音筒部内に水が溜まってスピーカの振動板に水が付着している状態が長期間継続すると、たとえスピーカとして防滴用のものを用いたとしても、スピーカが劣化し、ガス漏れ警報器の検定満了後に解体し、スピーカを再使用することが困難である、という問題も生じていた。また、防水を施した電子機器としては、特許文献１、２に記載されたものが提案されている。
【先行技術文献】
【特許文献】
【０００７】
【特許文献１】特開２００９−１６９６６９号公報
【特許文献２】実開平６−７７２９２号公報
【発明の概要】
【発明が解決しようとする課題】
【０００８】
そこで、本発明は、放音孔から放音筒部内に水が浸入してもスピーカの振動板に水が付着しにくくすることにより、スピーカの振動板の発音不良を防止すると共にスピーカの劣化を防ぐ電子機器を提供することを課題とする。
【課題を解決するための手段】
【０００９】
上述した課題を解決するための請求項１記載の発明は、スピーカと、前記スピーカを収容する筐体と、を備え、前記筐体には、当該筐体を貫通する放音孔と、前記放音孔を囲むように前記筐体内部に向かって立設すると共にその開口が前記スピーカで塞がれた放音筒部と、が設けられている電子機器であって、前記放音筒部には、その内周面に鉛直下側に向かって凹の水溜り部が設けられていることを特徴とする電子機器に存する。
【００１０】
請求項２記載の発明は、前記放音孔は、その中心が前記スピーカの中心から前記水溜り部側にズレた位置に設けられていることを特徴とする請求項１に記載の電子機器に存する。
【００１１】
請求項３記載の発明は、前記筐体には、一端が前記水溜り部に連通し他端が鉛直下側に開口する前記筐体外面に凹に設けられた水抜き溝が設けられていることを特徴とする請求項１又は２に記載の電子機器に存する。
【００１２】
請求項４記載の発明は、前記放音孔、前記放音筒部、及び、前記水溜り部が、前記筐体の外部に向かって凸となる凸部に設けられ、前記水抜き溝の他端が、前記凸部の鉛直下側の端部に設けられ、前記凸部の外面に前記水抜き溝を隠すように取り付けられた表示板が設けられたことを特徴とする請求項３に記載の電子機器に存する。
【発明の効果】
【００１３】
以上説明したように請求項１記載の発明によれば、放音筒部の内周面に鉛直下側に向かって凹の水溜り部を設けることにより、放音孔から放音筒部内に水が侵入しても水溜り部に水が溜まるためスピーカの振動板に水が付着することがない。これにより、スピーカの振動板の発音不良を防止すると共にスピーカの劣化を防ぐことができる。
【００１４】
請求項２記載の発明によれば、放音孔が、水溜り部側に設けられているので、水溜り部からあふれた水が放音孔から外部に流れ易くなり、より確実に、スピーカの振動板の発音不良を防止すると共にスピーカの劣化を防ぐことができる。
【００１５】
請求項３記載の発明によれば、一端が水溜り部に連通し他端が鉛直下側に開口する筐体内部に向かって凹の水抜き溝を筐体に設けることにより、水溜り部に溜まった水が水抜き溝を通って筐体外部に排出される。このため、より確実に、スピーカの振動板の発音不良を防止すると共にスピーカの劣化を防ぐことができる。
【００１６】
請求項４記載の発明によれば、表示板により筐体外面に設けられた水抜き溝が隠されるため、美観を損ねることがない。しかも、水抜き溝の他端が、凸部の鉛直下側の端部に設けられているので、表示板で筐体の放音孔が設けられている面全体を覆う必要がなく、凸部のみを表示板で覆うだけで水抜き溝を隠すことができる。
【図面の簡単な説明】
【００１７】
【図１】本発明の電子機器としてのガス漏れ警報器の正面図である。
【図２】図１のＩ−Ｉ部分線断面図である。
【図３】（Ａ）は図２に示すケース本体の部分背面図であり、（Ｂ）は（Ａ）のＰ１矢視図である。
【図４】スピーカを取り付けた状態のケース本体の部分背面図である。
【図５】図４のＩＩ−ＩＩ線部分断面図である。
【図６】図２に示すケース本体の正面側斜視図である。
【図７】図１に示すガス漏れ警報器の部分断面斜視図である。
【発明を実施するための形態】
【００１８】
以下、本発明の電子機器としてのガス漏れ警報器１（以下単に警報器１と略記する。）を図１〜図７を参照して説明する。図１及び図２に示すように、警報器１は、ガス漏れを検出する図示しないガスセンサと、このガスセンサが搭載された基板２と、ガス漏れを報知するためのスピーカ３と、これらガスセンサ、基板２及びスピーカ３などを内蔵する筐体としてのケース４と、表示板としての絵文字シール５と、を備えていて、浴室などに取り付けられる。
【００１９】
上記図示しないガスセンサは、例えば接触燃焼式や半導体式などの周知のガスセンサが用いられている。基板２は、平面視矩形状の平板に設けられている。上記スピーカ３は、防滴タイプのものを用いている。具体的には、図２に示すように、スピーカ３は、平面視円状の底壁部及び該底壁部の周縁から立設する立壁部とから構成された受皿状の金属ケース３１と、この金属ケース３１中央に収容された円柱状のマグネット３２と、マグネット３２を囲む円筒状のボビン３３と、ボビン３３外周に巻き付けられたコイル３４と、金属ケース３１の開口を塞ぐ略円盤状の１枚の振動板３５と、振動板３５の金属ケース３１から離れた側の面の周縁に取り付けられたリング状のスピーカパッキン３６と、から構成されている。
【００２０】
この防滴タイプのスピーカ３は、金属ケース３１の開口を塞ぐ振動板３５が樹脂などの防水性の高い材料から構成されていて、これにより、金属ケース３１内に水が侵入することを防いでいる。なお、コイル３４の両端は、金属ケース３１に設けられた開口３１ａから金属ケース３１外に引き出されている。この金属ケース３１から引き出されたコイル３４の両端は、一端にコネクタ６が取り付けられた電線７の他端に半田付されている。この電線７の一端に設けたコネクタ６を基板２に接続することにより、基板２からコイル３４に電流を流すことができる。
【００２１】
上記ケース４は、樹脂などで構成されていて、ケース本体４１と、ケース本体４１の開口を塞ぐ蓋体４２と、を備えている。ケース本体４１は、平面視矩形状の底壁部４３（図１）と、この底壁部４３の周縁から立設する立壁部４４（図２）と、を備えている。上記ケース４は、その蓋体４２を取付壁に重ねて取付壁に取り付けられる。これにより、ケース本体４１の底壁部４３が正面に向けられる。
【００２２】
この底壁部４３には、図１及び図２に示すように、ケース４の外部、即ち正面に向かって凸の凸部４３Ａが設けられている。そして、この凸部４３Ａに、図３に示すように、底壁部４３を貫通する放音孔としての放音スリット４３Ｂと、放音スリット４３Ｂを囲むようにケース４内部に向かって立設する放音筒部４３Ｃと、放音筒部４３Ｃの開口を塞ぐようスピーカ３を放音筒部４３Ｃに取り付けるためにケース４内部に向かって立設するボス４３Ｄと、が設けられている。
【００２３】
上記放音スリット４３Ｂは、鉛直方向に沿った長孔状に設けられると共に互いに平行に５つ並べて設けられている。また、上記放音筒部４３Ｃは、円筒状に設けられていて、その立設方向側の端面にスピーカパッキン３６を押さえるために凸となるリング状のリブ４３Ｃ１が設けられている。ボス４３Ｄは、放音筒部４３Ｃの外周を囲むように互いに間隔を空けて３つ設けられている。この３つのボス４３Ｄには、ネジ穴が設けられている。
【００２４】
上記放音筒部４３Ｃには、図４及び図５に示す後述するスピーカ押さえ８を用いてスピーカ３が取り付けられる。このスピーカ押さえ８は、後述するケース４の放音筒部４３Ｃに上記スピーカ３を取り付けるために設けられた金属板である。このスピーカ押さえ８は、スピーカ３の外縁に沿った円弧状に設けられていて、上記ボス４３Ｄ上に重ねられる取付タブ８１が外側に向かって突設されている。この取付タブ８１には、ネジを貫通する貫通穴が設けられている。
【００２５】
図４及び図５に示すように、上述した放音筒部４３Ｃの立設方向の端面には、スピーカパッキン３６とリブ４３Ｃ１とが当接するように、上述したスピーカ３の周縁が重ねられている。そして、このスピーカ３の周縁には、上記スピーカ押さえ８が重ねられている。即ち、図５に示すように、スピーカ３の周縁が、放音筒部４３Ｃとスピーカ押さえ８との間に挟まれる。
【００２６】
なお、スピーカ押さえ８の取付タブ８１はボス４３Ｄ上に重ねられている。この状態で、取付タブ８１の貫通穴にネジＮを差し込むと共にボス４３Ｄのネジ穴にネジＮを螺合することによって、スピーカ３が放音筒部４３Ｃに固定される。このとき、スピーカ３の周縁に取り付けられたスピーカパッキン３６がリブ４３Ｃ１に当接されるので、放音筒部４３がスピーカ３により密閉され、放音スリット４３Ｂから放音筒部４３Ｃ内に侵入してきた水がケース４内に浸入することがない。
【００２７】
以上の構成によれば、ケース４内部に水が浸入することはなくなったが、多くの水がかかると、放音スリット４３Ｂから放音筒部４３Ｃ内に水が侵入して溜まってしまう。上記スピーカ３は、図２に示すように、その振動板３５が放音筒部４３Ｃ内に曝されているため、放音筒部４３Ｃ内に溜まった水がスピーカ３の振動板３５に付着して発音不良となる恐れがある。
【００２８】
そこで、本実施形態においては、上記放音筒部４３Ｃに、図３（Ｂ）に示すように、その内周面に鉛直下側に向かって凹の水溜り部４５を設けている。この水溜り部４５は、放音筒部４３Ｃの内周面のスピーカ３から離れた端部に設けられている。
【００２９】
上述したように、放音筒部４３Ｃの内周面に鉛直下側に向かって凹の水溜り部４５を設けることにより、放音スリット４３Ｂから水が侵入しても水溜り部４５に水が溜まるためスピーカ３の振動板３５に水が付着することがない。これにより、スピーカ３の振動板３５の発音不良を防止すると共にスピーカ３の劣化を防ぐことができる。
【００３０】
ところで、上記放音スリット４３Ｂは、一般的には、その中心が振動板３５の中心と重なるように設けられているが、本実施形態では、その中心が振動板３５の中心から水溜り部４５側、即ち鉛直下側にズレた位置に設けられている。これにより、水溜り部４５からあふれた水が放音スリット４３Ｂから外部に流れ易くなり、より確実に、スピーカ３の振動板３５の発音不良を防止すると共にスピーカ３の劣化を防ぐことができる。
【００３１】
しかし、水溜り部４５を設けて、放音スリット４３Ｂを水溜り部４５側にずらしても、水の表面張力により放音スリット４３Ｂに水の膜が形成されてしまい、放音筒部４３Ｃから完全に水が抜けない恐れがあった。
【００３２】
そこで、本実施形態においては、さらに、上記ケース本体４１の底壁部４３に、図２、図６及び図７に示すように、その正面に水溜り部４５から凸部４３Ａの鉛直下側の端部まで延在する鉛直方向に沿った凹状の水抜き溝４６を設けている。これにより、水抜き溝４６は、その一端が水溜り部４５に連通し、他端が鉛直下側に向かって開口する。また、図７に示すように、水溜り部４５の内周面のうち水平方向に対向する一対の面４５Ａは、鉛直下側の水抜き溝４６に近づくに従って互いに近づく曲面に設けられている。
【００３３】
さらに、図６に示すように、水溜り部４５の内周面のうちケース４内側の面４５Ｂには、鉛直下側の水抜き溝４６に近づくに従ってケース４外側（即ち正面側）に向かうテーパ状に設けられている。このように、水溜り部４５に連通する水抜き溝４６をケース４に設けることにより、水溜り部４５に溜まった水が水抜き溝４６を通ってケース４外部に排出される。このため、より確実に、スピーカ３の振動板３５の発音不良を防止すると共にスピーカ３の劣化を防ぐことができる。
【００３４】
また、水溜り部４５の一対の面４５Ａを曲面、面４５Ｂをテーパ状に設けることにより、水溜り部４５に溜まった水が面４５Ａ、４５Ｂに沿ってに水抜き溝４６に案内されるため、速やかにケース４外に排出できる。
【００３５】
上記絵文字シール５は、平面視矩形の板状に設けられていて、放音スリット４３Ｂに対向する孔が設けられさらに各種意匠が描かれている。絵文字シール５は、ケース本体４１の凸部４３Ａの正面に取り付けられている。そして、この絵文字シール５により、凸部４３Ａに設けられた水抜き溝４６が隠されている。
【００３６】
上述した警報器１によれば、絵文字シール５によりケース４外面に設けられた水抜き溝４６が隠されるため、美観を損ねることがない。
【００３７】
また、上述した警報器１によれば、放音スリット４３Ｂ、放音筒部４３Ｃ、及び、水溜り部４５が、ケース４の外部に向かって凸の凸部４３Ａに設けられ、水抜き溝４６の他端が、凸部４３Ａの鉛直下側の端部に設けられ、絵文字シール５が、凸部４３Ａに取り付けられているので、絵文字シール５でケース４の放音スリット４３Ｂが設けられている底壁部４３全体を覆う必要がなく、凸部４３Ａのみを絵文字シール５で覆うだけで水抜き溝４６を隠すことができる。
【００３８】
なお、上述した実施形態によれば、放音スリット４３Ｂの中心を振動板３５の中心からずらして設けていたが、本発明はこれに限ったものではない。放音スリット４３Ｂの中心と振動板３５の中心とを重ねても良い。
【００３９】
また、上述した実施形態によれば、ケース４に水溜り部４５に溜まった水を外部に排出する水抜き溝４６を設けていたが、本発明はこれに限ったものではない。本発明は、放音筒部４３Ｃに水溜り部４５を設けていればよく、水抜き溝４６については設けなくても良い。
【００４０】
また、上述した実施形態によれば、ケース４内部に向かって凹の水抜き溝４６を設けていたが、本発明はこれに限ったものではない。例えば、ケース４の底壁部４３を貫通する水抜き孔を設けても良い。
【００４１】
また、上述した実施形態によれば、水抜き溝４６の正面を絵文字シール５で覆って隠していたが本発明はこれに限ったものではない。美観にこだわらなければ絵文字シール５で覆う必要がない。
【００４２】
また、上述した実施形態によれば、底壁部４３に設けた凸部４３Ａに水抜き溝４６を設けていたが、本発明はこれに限ったものではない。底壁部４３をフラットに設けて、水抜き溝４６を底壁部４３の鉛直下側の端部まで設けるようにしてもよい。
【００４３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４４】
３      スピーカ
４      ケース（筐体）
５      絵文字シール（表示板）
４３Ａ  凸部
４３Ｂ  放音スリット（放音孔）
４３Ｃ  放音筒部
４５    水溜り部
４６    水抜き溝
【図１】
2011186594.tif 000003
【図２】
2011186594.tif 000004
【図３】
2011186594.tif 000005
【図４】
2011186594.tif 000006
【図５】
2011186594.tif 000007
【図６】
2011186594.tif 000008
【図７】
2011186594.tif 000009